(57)【要約】      （修正有）【課題】組み立て処理の困難性を減らすとともに、接地金属板は露出された嵌合側縁を有し、電気コネクタには、内側遮蔽シェルが設けられており、それによって、電気コネクタにより良い電磁遮蔽効果を提供する。【解決手段】別の嵌合コネクタとの嵌合に適した電気コネクタは、結合体、接地金属板３、および外側遮蔽シェル４を備える。結合体は、第１の端子モジュール１および第２の端子モジュール２を備える。接地金属板は、第１の端子モジュールと第２の端子モジュールとの間に置かれる。外側遮蔽シェルは、第１の舌状部分１１２の外側空間および第２の舌状部分２１２の外側空間を取り囲み、嵌合コネクタの挿入のための嵌合空洞を形成する。【選択図】図５
2018085348.tif 000002
【特許請求の範囲】
【請求項１】
別の嵌合コネクタとの嵌合に適した電気コネクタであって、
第１の絶縁部品と、該第１の絶縁部品に固定された複数の第１の端子と、を有する第１の端子モジュールであって、前記第１の絶縁部品が、第１のベース部分と、該第１のベース部分から前方へ延出する第１の舌状部分と、を有し、該第１の舌状部分が、互いに反対側にある第１の結合面および第１の嵌合面を有し、各第１の端子の一端が、前記第１のベース部分から前方へ延出し、前記第１の嵌合面上に露出された第１の嵌合部分を形成し、各第１の端子の他端が、前記第１のベース部分から外側へ延出し、第１の半田付け部分を形成する、第１の端子モジュールと、
前記第１の絶縁部品と共に組み立てられた第２の絶縁部品と、該第２の絶縁部品に固定された複数の第２の端子と、を有する第２の端子モジュールであって、前記第２の絶縁部品が、第２のベース部分と、該第２のベース部分から前方へ延出する第２の舌状部分と、を有し、該第２の舌状部分が、前記第１の結合面に向く第２の結合面と、該第２の結合面の反対側の第２の嵌合面と、を有し、各第２の端子の一端が、前記第２のベース部分から前方へ延出し、前記第２の嵌合面上に露出された第２の嵌合部分を形成し、各第２の端子の他端が、前記第２のベース部分から外側へ延出し、第２の半田付け部分を形成する、第２の端子モジュールと、を備える、結合体と、
前記第１の端子モジュールと前記第２の端子モジュールとの間に置かれた接地金属板と、
前記第１の舌状部分の外側空間および前記第２の舌状部分の外側空間を取り囲み、かつ、前記嵌合コネクタの挿入のための嵌合空洞を形成する、外側遮蔽シェルと、
該外側遮蔽シェルと前記第１のベース部分および前記第２のベース部分との間に位置付けられた内側遮蔽シェルであって、前記第１の舌状部分および前記第２の舌状部分の少なくとも後方区分を覆う内側遮蔽シェルとを備える、電気コネクタ。
【請求項２】
前記接地金属板の２つの反対面が、前記第１の舌状部分の第１の結合面および前記第２の舌状部分の第２の結合面上にそれぞれ取り付けられ、前記接地金属板には、前記第１の舌状部分および前記第２の舌状部分の外にそれぞれ露出された２つの嵌合側縁が設けられている、請求項１に記載の電気コネクタ。
【請求項３】
前記第１の端子モジュールの構成は前記第２の端子モジュールの構成と同様であり、前記第１の端子モジュールおよび第２の端子モジュールの構成は１８０度回転対称にあり、固定された脚部が、前記第１の絶縁部品および前記第２の絶縁部品の各々からそれぞれ延出する、請求項１に記載の電気コネクタ。
【請求項４】
前記第１の端子モジュールが、前記第２の端子モジュールの上に設けられ、少なくとも固定された脚部が、前記第２の絶縁部品の第２のベース部分から下方へ延出する、請求項１に記載の電気コネクタ。
【請求項５】
前記電気コネクタが、前記第２の端子モジュールに固定された半田付け脚部位置付け部材を更に備え、複数の半田付け脚部位置付け孔が、前記第１の半田付け部分および前記第２の半田付け部分を通過して位置付けるために、前記半田付け脚部位置付け部材上に形成される、請求項４に記載の電気コネクタ。
【請求項６】
前記内側遮蔽シェルが、固定区分および延出区分を備え、前記固定区分が、前記外側遮蔽シェルの内面に当接し、かつ前記第１のベース部分または前記第２のベース部分に固定され、前記延出区分が、前記第１の舌状部分および前記第２の舌状部分の後方区分を覆う、請求項１に記載の電気コネクタ。
【請求項７】
前記内側遮蔽シェルが、前記第１の絶縁部品および前記第２の絶縁部品上にそれぞれ取り付けられている２つの金属板を備え、各金属板が、前記第１の舌状部分の後方区分または前記第２の舌状部分の後方区分上に取り付けられている前方延出板と、対応する第１のベース部分または対応する第２のベース部分上に取り付けられている後方延出板と、前記前方延出板および前記後方延出板に垂直な接続板と、を有する、請求項１に記載の電気コネクタ。
【請求項８】
各前方延出板の前方端が、案内前方縁を形成し、間隙が、各案内前方縁と各結合体との間に形成され、前記案内前方縁が前記結合体の方へわずかにずれることを可能にする、請求項７に記載の電気コネクタ。
【請求項９】
前記結合体の両側が、前記前方延出板の両側にそれぞれ隣接した２つの受け入れ溝と共に更に形成され、各受け入れ溝の後方側が、垂直に延出して前記第１のベース部分および前記第２のベース部分を貫通するチャネルを有し、各金属板が、対応する前方延出板の両側に設けられた２つの固定突出タブを更に有し、各固定突出タブが、対応する前方延出板から延出し、かつ隣接した受け入れ溝の中に延出して対応するチャネルの上に掛止めする、請求項７に記載の電気コネクタ。
【請求項１０】
各金属板が、前記結合体から離れる方向に延出する接続弾性タブを少なくとも更に有し、各接続弾性タブが、前記外側遮蔽シェルと係合される、請求項７に記載の電気コネクタ。
【請求項１１】
別の嵌合コネクタとの嵌合に適した電気コネクタであって、
本体と、該本体から前方へ突出する舌部と、を有し、該舌部が上面および下面を有する、絶縁体と、上部列および下部列に分割され、前記絶縁体に固定された複数の端子であって、各端子が、前記舌部の前方へ延出して該舌部の外に露出された接触部分と、前記絶縁体の外に延出する尾部分と、を備え、前記上部列における端子の接触部分が、前記舌部の上面上に露出され、前記下部列における端子の接触部分が、前記舌部の下面上に露出される、複数の端子と、を備える、結合体と、
該結合体に固定され、かつ前記上部列における端子と前記下部列における端子との間に位置付けられた板である、接地金属板と、
前記絶縁体と結合され、かつ嵌合空洞を画定するように前記舌部の外側空間を取り囲む、外側遮蔽シェルと、
該外側遮蔽シェルの内側に位置付けられ、かつ前記結合体の表面上に設けられた内側遮蔽シェルであって、該内側遮蔽シェルが、上部金属板および下部金属板を備え、前記上部金属板が、前記結合体から離れる方向に延出する接続弾性タブを少なくとも有し、該接続弾性タブが、前記外側遮蔽シェルに接続される、内側遮蔽シェルと、を備える、電気コネクタ。
【請求項１２】
前記下部金属板が、前記結合体から離れる方向に延出する接続弾性タブを少なくとも有し、該接続弾性タブが、前記外側遮蔽シェルに接続される、請求項１１に記載の電気コネクタ。
【請求項１３】
前記下部金属板が、前記結合体から離れる方向に延出する半田付け脚部を少なくとも有し、該半田付け脚部が、前記外側遮蔽シェルの外に延出し、接地を達成するために対応する回路基板に半田付けされる、請求項１１に記載の電気コネクタ。
【請求項１４】
前記接地金属板が、第１の遮蔽部分と、該第１の遮蔽部分から延出する第２の遮蔽部分と、を備え、前記第１の遮蔽部分が、前記絶縁体に固定され、前記第２の遮蔽部分および前記端子の尾部分が、同じ方向に沿って前記絶縁体の外に延出する、請求項１１に記載の電気コネクタ。
【請求項１５】
前記外側遮蔽シェルが、接地を達成するために前記回路基板に半田付けされる半田付け脚部を少なくとも有する、請求項１１に記載の電気コネクタ。
【請求項１６】
前記絶縁体が、第１の絶縁部品および第２の絶縁部品によって組み立てられ、前記上部列における端子が、前記第１の絶縁部品に埋め込まれ、前記下部列における端子が、前記第２の絶縁部品に埋め込まれ、前記接地金属板が、前記第１の絶縁部品と前記第２の絶縁部品との間に置かれる、請求項１１に記載の電気コネクタ。
【請求項１７】
前記第１の絶縁部品が、第１のベース部分と、該第１のベース部分から前方へ延出する第１の舌状部分と、を備え、前記上部列における端子の接触部分が、前記第１の舌状部分の外へ露出され、前記第２の絶縁部品が、第２のベース部分と、該第２のベース部分から前方へ延出する第２の舌状部分と、を備え、前記下部列における端子の接触部分が、前記第２の舌状部分の外へ露出され、前記第１の舌状部分および前記第２の舌状部分が、前記絶縁体の舌部を形成するように組み立てられ、前記第１のベース部分および前記第２のベース部分が、前記絶縁体の本体を形成するように組み立てられる、請求項１６に記載の電気コネクタ。
【請求項１８】
別の嵌合コネクタとの嵌合に適した電気コネクタであって、
第１の絶縁部品と、該第１の絶縁部品に固定された複数の第１の端子と、を有する第１の端子モジュールであって、前記第１の絶縁部品が、第１のベース部分と、該第１のベース部分から前方へ延出する第１の舌状部分と、を有する、第１の端子モジュールと、
前記第１の絶縁部品と共に組み立てられた第２の絶縁部品と、該第２の絶縁部品に固定された複数の第２の端子と、を有する第２の端子モジュールであって、前記第２の絶縁部品が、第２のベース部分と、該第２のベース部分から前方へ延出する第２の舌状部分と、を有する、第２の端子モジュールと、を備える、結合体と、
前記第１の端子モジュールと前記第２の端子モジュールとの間に置かれた接地金属板と、
前記第１の舌状部分の外側空間および前記第２の舌状部分の外側空間を取り囲み、かつ、前記嵌合コネクタの挿入のための嵌合空洞を形成する、外側遮蔽シェルと、
該外側遮蔽シェルと前記第１のベース部分および前記第２のベース部分との間に位置付けられた内側遮蔽シェルであって、前記第１の舌状部分および前記第２の舌状部分の少なくとも後方区分を覆う内側遮蔽シェルとを備える、電気コネクタ。
【請求項１９】
前記第１の端子モジュールの構成は前記第２の端子モジュールの構成と同様であり、前記第１の端子モジュールおよび第２の端子モジュールの構成は１８０度回転対称にある、請求項１８に記載の電気コネクタ。
【請求項２０】
別の嵌合コネクタとの嵌合に適した電気コネクタであって、
本体と、該本体から前方へ突出する舌部と、を有する、絶縁体と、上部列および下部列に分割され、前記絶縁体に固定された複数の端子と、を備える、結合体と、
該結合体に固定され、かつ前記上部列における端子と前記下部列における端子との間に位置付けられた板である、接地金属板と、
前記絶縁体と結合され、かつ嵌合空洞を画定するように前記舌部の外側空間を取り囲む、外側遮蔽シェルと、
該外側遮蔽シェルの内側に位置付けられ、かつ前記結合体の表面上に設けられた内側遮蔽シェルであって、該内側遮蔽シェルが、上部金属板および下部金属板を備え、前記上部金属板が、前記結合体から離れる方向に延出する接続弾性タブを少なくとも有し、該接続弾性タブが、前記外側遮蔽シェルに接続される、内側遮蔽シェルと、を備える、電気コネクタ。
【発明の詳細な説明】
【技術分野】
【０００１】
本開示は、電気コネクタに関し、特に、単純構成を有し、かつ容易に組み立てられる電気コネクタに関する。
【背景技術】
【０００２】
電気コネクタのデータ伝送、電力供給、および電磁遮蔽の質を改善するために、異なる機能を有する複数の端子が、従来の電気コネクタでは電気コネクタの絶縁体上に設けられることが多く、遮蔽部材が、端子のデータ伝送の間の電磁干渉を削減するように絶縁体に埋め込まれる。
【０００３】
しかしながら、端子もしくは遮蔽部材または同様のものが電気コネクタに加えられるとき、典型的には、電気コネクタの構成全体の複雑性が著しく増大され、例えば、中国特許出願第２０１３２０３７８１５３．０号は、電気コネクタを開示し、複数の異なる組み立て構成が、組み立てのために遮蔽部材または同様のものと協働するようにそれぞれ成形されることが要求され、それによって、電気コネクタの構成を複雑にし、ひいては、製造費用を増大させる。なおその上に、電気コネクタの端子が、絶縁体の舌部の２つの反対側面上にそれぞれ設けられ、それによって、組み立ての困難性を改善し、構成およびアセンブリ処理を複雑にする。その上、従来の電気コネクタは、電磁放射が一旦、絶縁体を通過して後方へ漏れると、全ての電磁放射を十分に遮蔽することができず、負の効果が、端子の尾部分に加えられ、それによって、信号伝送の質を下げる。したがって、従来の電気コネクタについて依然として改善される余地がある。
【発明の概要】
【課題を解決するための手段】
【０００４】
したがって、本開示の目的は、単純構成を有し、かつ容易に組み立てられる電気コネクタを提供することにある。
【０００５】
本開示の別の目的は、より良い電磁遮蔽効果を有する電気コネクタを提供することにある。
【０００６】
したがって、本開示の電気コネクタは、別の嵌合コネクタとの嵌合に適している。ある実施形態では、電気コネクタが、結合体、接地金属板、および外側遮蔽シェルを備える。結合体は、第１の端子モジュールおよび第２の端子モジュールを備える。第１の端子モジュールは、第１の絶縁部品と、第１の絶縁部品に固定された複数の第１の端子と、を有する。第１の絶縁部品は、第１のベース部分と、第１のベース部分から前方へ延出する第１の舌状部分と、を有する。第１の舌状部分は、互いに反対側の第１の結合面および第１の嵌合面を有する。各第１の端子の一端は、第１のベース部分から前方へ延出し、第１の嵌合面上に露出された第１の嵌合部分を形成し、各第１の端子の他端は、第１のベース部分から外側へ延出し、第１の半田付け部分を形成する。
【０００７】
第２の端子モジュールは、第１の絶縁部品と共に組み立てられた第２の絶縁部品と、第２の絶縁部品に固定された複数の第２の端子と、を有する。第２の絶縁部品は、第２のベース部分と、第２のベース部分から前方へ延出する第２の舌状部分と、を有する。第２の舌状部分は、第１の結合面に向く第２の結合面と、第２の結合面の反対側の第２の嵌合面と、を有する。各第２の端子の一端は、第２のベース部分から前方へ延出し、第２の嵌合面上に露出された第２の嵌合部分を形成し、各第２の端子の他端は、第２のベース部分から外側へ延出し、第２の半田付け部分を形成する。接地金属板は、第１の端子モジュールと第２の端子モジュールとの間に置かれる。外側遮蔽シェルは、第１の舌状部分の外側空間および第２の舌状部分の外側空間を取り囲み、嵌合コネクタの挿入のための嵌合空洞を形成する。
【０００８】
ある実施形態では、第１の絶縁部品が、第２の絶縁部品に向く面上に第１の固定機構を少なくとも更に有し、第２の絶縁部品には、第１の固定機構と協働すると共にそれに固定された第２の固定機構が設けられている。
【０００９】
ある実施形態では、接地金属板が、第１の固定機構および第２の固定機構に対応する貫通孔と共に少なくとも形成され、第１の固定機構および第２の固定機構は、それぞれ、互いと協働する固定突出支柱および固定孔であり、第１の固定機構は、接地金属板の貫通孔を通過して、第２の固定機構と係合する。
【００１０】
ある実施形態では、接地金属板の２つの反対の位置にある面が、第１の舌状部分の第１の結合面および第２の舌状部分の第２の結合面上にそれぞれ取り付けられ、接地金属板には、第１の舌状部分および第２の舌状部分の外にそれぞれ露出された２つの嵌合側縁が設けられている。
【００１１】
ある実施形態では、第１の端子モジュールの構成および第２の端子モジュールの構成が同じであり、固定された脚部が、第１の絶縁部品および第２の絶縁部品の各々からそれぞれ延出する。
【００１２】
ある実施形態では、第１の端子モジュールが、第２の端子モジュールの上に設けられ、少なくとも固定された脚部が、第２の絶縁部品の第２のベース部分から下方へ延出する。
【００１３】
ある実施形態では、電気コネクタが、結合体に設けられた内側遮蔽シェルを更に備え、内側遮蔽シェルが、外側遮蔽シェルと第１のベース部分および第２のベース部分との間に位置付けられ、第１の舌状部分および第２の舌状部分の少なくとも後方区分を覆う。
【００１４】
ある実施形態では、内側遮蔽シェルが、固定区分および延出区分を備え、固定区分が、外側遮蔽シェルの内面に当接し、第１のベース部分または第２のベース部分に固定され、延出区分が、第１の舌状部分および第２の舌状部分の後方区分を覆う。
【００１５】
ある実施形態では、内側遮蔽シェルが、第１の絶縁部品および第２の絶縁部品上にそれぞれ取り付けられている２つの金属板を備え、各金属板が、第１の舌状部分の後方区分または第２の舌状部分の後方区分上に取り付けられている前方延出板と、対応する第１のベース部分または対応する第２のベース部分上に取り付けられている後方延出板と、前方延出板および後方延出板に垂直な接続板と、を有する。
【００１６】
ある実施形態では、各前方延出板の前方端が、案内前方縁を形成し、間隙が、各案内前方縁と各結合体との間に形成され、案内前方縁が結合体の方へわずかにずれることを可能にする。
【００１７】
ある実施形態では、結合体の両側が、前方延出板の両側にそれぞれ隣接した２つの受け入れ溝と共に更に形成され、各受け入れ溝の後方側が、垂直に延出して第１のベース部分および第２のベース部分を貫通するチャネルを有し、各金属板が、対応する前方延出板の両側に設けられた２つの固定突出タブを更に有し、各固定突出タブが、対応する前方延出板から延出し、かつ隣接した受け入れ溝の中に延出して対応するチャネルの上に掛止めする。
【００１８】
ある実施形態では、各金属板が、結合体から離れる方向に延出する少なくとも接続弾性タブを更に有し、各接続弾性タブが、外側遮蔽シェルと係合される。
【００１９】
ある実施形態では、電気コネクタが、結合体、接地金属板、外側遮蔽シェル、および内側遮蔽シェルを備える。結合体は、本体と、本体から前方へ突出する舌部と、を有する絶縁体であって、舌部が、上面および下面を有する、絶縁体と、上部列および下部列に分割され、絶縁体に固定された複数の端子であって、各端子が、舌部の前方へ延出して舌部の外に露出された接触部分と、絶縁体の外に延出する尾部分と、を有し、上部列における端子の接触部分が、舌部の上面上に露出され、下部列における端子の接触部分が、舌部の下面上に露出される、複数の端子と、を備える。接地金属板は、結合体に固定され、上部列における端子と下部列における端子との間に位置付けられた板である。外側遮蔽シェルは、絶縁体と係合し、嵌合空洞を画定するように舌部の外側空間を取り囲む。内側遮蔽シェルは、外側遮蔽シェルの内側に位置付けられ、結合体の表面上に設けられ、内側遮蔽シェルは、上部金属板および下部金属板を有し、上部金属板は、結合体から離れる方向に延出する接続弾性タブを少なくとも有し、接続弾性タブは、外側遮蔽シェルに接続される。
【００２０】
ある実施形態では、下部金属板が、結合体から離れる方向に延出する接続弾性タブを少なくとも有し、接続弾性タブが、外側遮蔽シェルに接続される。
【００２１】
ある実施形態では、下部金属板が、結合体から離れる方向に延出する半田付け脚部を少なくとも有し、半田付け脚部が、外側遮蔽シェルの外に延出し、接地を達成するために対応する回路基板に半田付けされる。
【００２２】
ある実施形態では、接地金属板が、第１の遮蔽部分と、第１の遮蔽部分から延出する第２の遮蔽部分と、を備え、第１の遮蔽部分が、絶縁体に固定され、第２の遮蔽部分および端子の尾部分が、同じ方向に沿って絶縁体の外に延出する。
【００２３】
ある実施形態では、外側遮蔽シェルが、接地を達成するために回路基板に半田付けされる半田付け脚部を少なくとも有する。
【００２４】
ある実施形態では、絶縁体が、第１の絶縁部品および第２の絶縁部品によって組み立てられ、上部列における端子が、第１の絶縁部品に埋め込まれ、下部列における端子が、第２の絶縁部品に埋め込まれ、接地金属板が、第１の絶縁部品と第２の絶縁部品との間に置かれる。
【００２５】
ある実施形態では、第１の絶縁部品が、第１のベース部分と、第１のベース部分から前方へ延出する第１の舌状部分と、を備え、上部列における端子の接触部分が、第１の舌状部分の外へ露出され、第２の絶縁部品が、第２のベース部分と、第２のベース部分から前方へ延出する第２の舌状部分と、を備え、下部列における端子の接触部分が、第２の舌状部分の外へ露出され、第１の舌状部分および第２の舌状部分が、絶縁体の舌部を形成するように組み立てられ、第１のベース部分および第２のベース部分が、絶縁体の本体を形成するように組み立てられる。
【００２６】
本開示の効果は、以下のようである。すなわち、第１の端子モジュールおよび第２の端子モジュールの設計によって、第１の端子および第２の端子が、最初に、第１の絶縁部品の側面および第２の絶縁部品の側面上にそれぞれ固定され得、次いで、第１の端子モジュールおよび第２の端子モジュールが、組み立てられ、接地金属板をそれらの間に置き、それによって、組み立て処理の困難性を減らす。その上、接地金属板は、露出された嵌合側縁を有し、電気コネクタには、内側遮蔽シェルが設けられており、それによって、電気コネクタにより良い電磁遮蔽効果を達成させる。更に、内側遮蔽シェルおよび外側遮蔽シェルが、接続弾性タブ経由で接続され、内側遮蔽シェルは、外側遮蔽シェル経由で接地効果を達成し得、それによって、電気コネクタにより良い電磁遮蔽効果を達成させる。
【図面の簡単な説明】
【００２７】
本開示の実施形態の前述および他の特徴ならびに効果は、図面を参照して、実施形態を通して明らかになる。
【００２８】
【図１】本開示の電気コネクタの第１の実施形態を例示する斜視図である。
【図２】本開示の第１の実施形態の構成要素を例示する分解斜視図である。
【図３】別の角度から見た本開示の第１の実施形態の構成要素を例示する分解斜視図である。
【図４】内側遮蔽シェルの２つの金属板間の組み立て関係を例示する分解斜視図である。
【図５】結合体の構成要素を例示する分解斜視図である。
【図６】別の角度から見た結合体の構成要素を例示する分解斜視図である。
【図７】第１の実施形態の前方側を例示する前面図である。
【図８】第１の実施形態の内側部分を例示する図７のＶＩＩＩ−ＶＩＩＩ線に沿って取られた断面図である。
【図９】第１の実施形態が別の嵌合コネクタと嵌合されることを例示する斜視図である。
【図１０】本開示の第２の実施形態の電気コネクタが回路基板上に設けられることを例示し、電気コネクタとプラグコネクタの嵌合関係を例示する斜視図である。
【図１１】第２の実施形態が回路基板上に設けられることを例示する斜視図である。
【図１２】第２の実施形態の外側遮蔽シェルと絶縁体の結合関係を例示する分解斜視図である。
【図１３】別の角度から見た図１２の図である。
【図１４】第２の実施形態の内側遮蔽シェルと絶縁体の結合関係を例示する分解斜視図である。
【図１５】別の角度から見た図１４の図である。
【図１６】第２の実施形態の接地金属板、半田付け脚部位置付け部材、および絶縁体間の結合関係を例示する分解斜視図である。
【図１７】別の角度から見た図１６の図である。
【図１８】第２の実施形態の端子と絶縁体の第１の絶縁部品および第２の絶縁部品との結合関係を例示する分解斜視図である。
【図１９】別の角度から見た図１８の図である。
【図２０】実施形態を例示する前面図である。
【図２１】図２０のＸＩＩ−ＸＩＩ線に沿って取られた断面図である。
【図２２】図２０のＸＩＩＩ−ＸＩＩＩ線に沿って取られた断面図である。
【図２３】第２の実施形態の端子空隙部分と端子尾部分の機能的関係を例示する斜視図である。
【図２４】第２の実施形態の端子空隙部分と端子尾部分の機能的関係を例示する図２３の部分図である。
【発明を実施するための形態】
【００２９】
本開示の前述および他の技術的内容、特徴、ならびに効果は、図面と組み合わせて２つの特定の実施形態についての以下の発明を実施するための形態を通して明らかになる。
【００３０】
図１〜図３を参照すると、本開示の電気コネクタの第１の実施形態が例示される。具体的に、第１の実施形態は、別の嵌合コネクタ７の挿入および接続に適したレセプタクルコネクタである（図９を参照）。電気コネクタ３００は、結合体１００と、結合体１００に固定された接地金属板３（図５を参照）と、結合体１００を取り囲む外側遮蔽シェル４と、外側遮蔽シェル４の内側に位置付けられ、結合体１００の表面上に設けられた内側遮蔽シェル５と、を備える。
【００３１】
図４〜図６を参照すると、結合体１００は、互いと組み立てられた第１の端子モジュール１および第２の端子モジュール２を備える。第１の端子モジュール１は、第１の絶縁部品１１と、第１の絶縁部品１１に埋め込まれた複数の第１の端子１２と、を有する。第１の絶縁部品１１は、第１のベース部分１１１と、第１のベース部分１１１の前方側から前方へ延出する第１の舌状部分１１２と、第２の端子モジュール２に下向きに向く２つの第１の固定機構１１５と、を有する。第１の舌状部分１１２は、第２の端子モジュール２に下向きに向く第１の結合面１１３と、第１の結合面１１３とは反対の第１の嵌合面１１４と、を有する。第１の端子１２は、第１のベース部分１１１に固定され、第１の端子１２の前方端は、第１のベース部分１１１から前方へ延出して第１の嵌合面１１４上に露出された第１の嵌合部分１２１を形成し、第１の端子１２の後方端は、第１のベース部分１１１から外側へ延出して回路基板８に半田付けされる第１の半田付け部分１２２を形成する（図７および図８を参照）。
【００３２】
第２の端子モジュール２の構成は、第１の端子モジュール１の構成と同じであり、第２の端子モジュール２の構成および第１の端子モジュール１の構成は、１８０度回転対称にある。第２の端子モジュール２は、第１の絶縁部品１１に対して上向きに組み立てられた第２の絶縁部品２１と、第２の絶縁部品２１に埋め込まれた複数の第２の端子２２と、を有する。第２の絶縁部品２１は、適所に第１のベース部分１１１に対応する第２のベース部分２１１と、第２のベース部分２１１の前方側から前方へ延出して、適所に第１の舌状部分１１２に対応する第２の舌状部分２１２と、第１の絶縁部品１１の第１の固定機構１１５と共に協働してそれに固定される２つの第２の固定機構２１５と、を有する。第２の舌状部分２１２は、第１の結合面１１３に上向きに向く第２の結合面２１３と、第２の結合面２１３とは反対の第２の嵌合面２１４と、を有する。第２の端子２２の前方端は、第２のベース部分２１１から前方へ延出し、第２の嵌合面２１４上に露出された第２の嵌合部分２２１を形成し、第２の端子２２の後方端は、第２のベース部分２１１から外側へ延出し、回路基板８に半田付けされる第２の半田付け部分２２２を形成する（図７および図８を参照）。
【００３３】
結合体１００は、第１のベース部分１１１の後方側および第２のベース部分２１１の後方側にそれぞれ設けられた２つの固定された脚部１０１と、結合体１００の左側および右側上にそれぞれ形成され、第１の舌状部分１１２の後方区分および第２の舌状部分２１２の後方区分にそれぞれ隣接した２つの受け入れ溝１０２と、第１のベース部分１１１の上面および第２のベース部分２１１の下面上にそれぞれ形成された４つの凹部分１０４と、を更に備える。２つの固定された脚部１０１は、第１の絶縁部品１１の後方側および第２の絶縁部品２１の後方側からそれぞれ延出し、かつ第１の絶縁部品１１および第２の絶縁部品２１から遠く離れる方向へ後方へ延出し、回路基板８を通過してそれに固定される（図７および図８を参照）。
【００３４】
接地金属板３は、第１の端子モジュール１と第２の端子モジュール２との間に置かれ、それによって、第１の舌状部分１１２および第２の舌状部分２１２によって組み立てられた舌部の構成の強度を上げ、第１の端子１２および第２の端子２２間の高周波信号のクロストークを減らす。接地金属板３の２つの反対側の面は、第１の舌状部分１１２の第１の結合面１１３および第２の舌状部分２１２の第２の結合面２１３上にそれぞれ取り付けられ、接地金属板３には、それぞれ左側および右側において第１の舌状部分１１２および第２の舌状部分２１２の外に露出された２つの嵌合側縁３１と、接地金属板３を垂直に貫通する４つの貫通孔３２と、が設けられている。４つの貫通孔３２は、第１の絶縁部品１１の２つの第１の固定機構１１５および第２の絶縁部品２１の２つの第２の固定機構２１５に対応し、したがって、２つの第１の固定機構１１５は、接地金属板３の４つの貫通孔３２を通過し、２つの第２の固定機構２１５を固定してそれらと係合し、接地金属板３を同時に位置付ける。第１の実施形態では、具体的に、各第１の固定機構１１５が、固定突出支柱１１６および固定孔１１７を備え、各第２の固定機構２１５が、固定突出支柱２１６および固定孔２１７を備え、それらは、それぞれ、固定孔１１７および固定突出支柱１１６と協働する。
【００３５】
外側遮蔽シェル４は、結合体１００の第１の舌状部分１１２の外側空間および第２の舌状部分２１２の外側空間を取り囲み、嵌合コネクタ７の挿入のための嵌合空洞４１を形成する。内側遮蔽シェル５は、外側遮蔽シェル４と第１のベース部分１１１および第２のベース部分２１１の間に位置付けられ、少なくとも第１の舌状部分１１２の後方区分および第２の舌状部分２１２の後方区分を覆い、好ましくは、内側遮蔽シェル５は、嵌合空洞４１に向く第１のベース部分１１１の前面、または嵌合空洞４１に向く第２のベース部分２１１の前面を更に覆う。好ましくは、内側遮蔽シェル５は、第１のベース部分１１１の前方区分または第２のベース部分２１１の前方区分に固定されて外側遮蔽シェル４の内面に当接する固定区分５１と、第１の舌状部分１１２の後方区分および第２の舌状部分２１２の後方区分上に取り付けられてそれらを取り囲む延出区分５２と、を有し、それによって、電磁放射が、結合体１００を通過して後方へ漏れることを防ぐ。具体的に、実施形態では、内側遮蔽シェル５が、互いと共に組み立てられた２つの金属板５３を有する。２つの金属板５３は、結合体１００の上部側および下部側にそれぞれ位置付けられ、第１の絶縁部品１１および第２の絶縁部品２１上にそれぞれ取り付けられてそれらに固定される。
【００３６】
各金属板５３は、実質的に段形状であり、第１の舌状部分１１２の後方区分または第２の舌状部分２１２の後方区分上に水平に取り付けられている前方延出板５３１と、第１のベース部分１１１の前方区分または第２のベース部分２１１の前方区分上に水平に取り付けられている後方延出板５３４と、前方延出板５３１および後方延出板５３４を接続して垂直に延出する接続板５３５と、を有し、２つの固定突出タブ５３６が、前方延出板５３１の左側および右側に設けられ、２つの接続弾性タブ５３７が、結合体１００から離れる方向に延出する。各前方延出板５３１の前方端は、案内前方縁５３２を形成し、間隙５３３が、各案内前方縁５３２および結合体１００間に形成され（図７および図８を参照）、したがって、案内前方縁５３２は、嵌合コネクタ７が嵌合空洞４１に挿入されるときに結合体１００の方へわずかにずれ得、それは、嵌合コネクタ７の挿入を容易にする。結合体１００の左側および右側に位置付けられた２つの受け入れ溝１０２は、それぞれ、各前方延出板５３１の左側および右側に隣接し、各受け入れ溝１０２の後方側は、垂直に延出して第１のベース部分１１１および第２のベース部分２１１を貫通するチャネル１０３を有する。各固定突出タブ５３６は、対応する前方延出板５３１から延出し、隣接した受け入れ溝１０２の中に延出して対応するチャネル１０３の上に掛止めし、結合体１００と係合する。各接続弾性タブ５３７は、それに対応して凹部分１０４に受け入れられ、各接続弾性タブ５３７の端が、外側遮蔽シェル４と弾性的に係合され、それによって、内側遮蔽シェル５は、接地効果を達成するために外側遮蔽シェル４経由で接地される。
【００３７】
本開示の電気コネクタ３００が嵌合コネクタ７と嵌合されると、各遮蔽構成は、電磁遮蔽効果を改善するように複数の接地回路を生み出すことができる。より具体的には、接地金属板３は、接地回路を形成するように接地金属板３の後方側に位置付けられた回路基板８を接続するだけではなくて、接地金属板３の左側および右側において露出された嵌合側縁３１経由で嵌合コネクタ７の外側シェルの金属弾性腕部（図示しない）もまた接続し、それによって、嵌合コネクタ７に接地機能を提供するための別の接地回路を形成する。なおその上に、内側遮蔽シェル５は、接続弾性タブ５３７経由で外側遮蔽シェル４を接続して接地回路を形成し、かつ、嵌合コネクタ７が挿入されるときに嵌合コネクタ７の接地弾性タブ７１（図９を参照）を接続して別の接地回路を形成し、それによって、内側遮蔽シェル５および外側遮蔽シェル４の電磁遮蔽効果を更に改善する。
【００３８】
第１の実施形態における第１の端子モジュール１の構成および第２の端子モジュール２の構成は完全に同じであるので、異なる組み立て構成が、別個に成形される必要はなく、第１の端子モジュール１および第２の端子モジュール２は、１種類のみの端子モジュールが必要とされる限り、組み立てられて接地金属板３の間に置かれ、それによって、成形処理および構成全体の複雑性を著しく簡略化することに断固として留意されたい。その上、第１の端子１２および第２の端子２２は、最初に、第１の絶縁部品１１の側面および第２の絶縁部品２１の側面上にそれぞれ埋め込まれ得、次いで、組み立てられ得、それによって、組み立て処理の困難性および組み立てデバイスの複雑性を減らす。また、第１の端子モジュール１の第１の端子１２の構成および第２の端子モジュール２の第２の端子２２の構成は、完全に同じであり、１８０度回転対称にあるので、対応する嵌合コネクタ７は、嵌合コネクタ７が、適切な配向で電気コネクタ３００に挿入されようと、または上下反対の配向で電気コネクタ３００に挿入されようと、電気コネクタの端子と適切に係合され得る。
【００３９】
結論として、第１の端子モジュール１および第２の端子モジュール２の設計によって、第１の端子１２および第２の端子２２は、最初に、第１の絶縁部品１１の側面および第２の絶縁部品２１の側面にそれぞれ埋め込まれ得、次いで、第１の端子モジュール１および第２の端子モジュール２が、組み立てられて、それらの間に接地金属板３を置き、それによって、組み立て処理の困難性および組み立てデバイスの複雑性を減らす。その上、接地金属板３が、第１の端子１２および第２の端子２２間に設けられ、内側遮蔽シェル５が、結合体１００の後方部分に位置付けられ、外側遮蔽シェル４が、第１の舌状部分１１２および第２の舌状部分２１２を取り囲むことによって、電気コネクタ３００の電磁遮蔽構成が、より良い電磁遮蔽効果を達成するように、複数の接地回路を形成して全遮蔽構成を形成する。また、本開示の目的が、実際に達成される。
【００４０】
図１０〜図２４を参照すると、本開示の電気コネクタの第２の実施形態が提供される。電気コネクタ３００ｃは、直角コネクタである。
【００４１】
図１０および図１１を参照すると、電気コネクタ３００ｃが、嵌合コネクタ７ｃの嵌合のために回路基板８ｃに提供され得る。
【００４２】
図１１〜図１７を参照すると、電気コネクタ３００ｃが、絶縁体１０ｃ、複数の端子２０ｃ、外側遮蔽シェル４ｃ、内側遮蔽シェル５ｃ、接地金属板３ｃ、および半田付け脚部位置付け部材６ｃを備える。
【００４３】
絶縁体１０ｃは、第１の絶縁部品１１ｃおよび第２の絶縁部品２１ｃによって組み立てられ、本体１３ｃと、本体１３ｃから前方へ突出する舌部１４ｃと、を有する。本体１３ｃは、広い上面１３１ｃと、広い下面１３２ｃと、２つの側面１３３ｃと、上面１３１ｃおよび下面１３２ｃを接続する前面１３４ｃと、を有する。舌部１４ｃは、本体１３ｃに接続されたベース部分１４１ｃと、ベース部分１４１ｃから前方へ延出する延出部分１４２ｃと、を有する。舌部１４ｃのベース部分１４１ｃの厚さは、舌部１４ｃの延出部分１４２ｃの厚さよりも大きい。具体的に、第２の実施形態では、第１の絶縁部品１１ｃが、第１のベース部分１１１ｃと、第１のベース部分１１１ｃから前方へ延出する第１の舌状部分１１２ｃと、を備え、第２の絶縁部品２１ｃが、第２のベース部分２１１ｃと、第２のベース部分２１１ｃから前方へ延出する第２の舌状部分２１２ｃと、を備え、第１の舌状部分１１２ｃおよび第２の舌状部分２１２ｃは、絶縁体１０ｃの舌部１４ｃを形成するように組み立てられ、第１のベース部分１１１ｃおよび第２のベース部分２１１ｃは、絶縁体１０ｃの本体１３ｃを形成するように組み立てられる。
【００４４】
図１８および図１９を参照して組み合わせると、端子２０ｃは、絶縁体１０ｃにおいて固定され、各端子２０ｃは、舌部１４ｃの延出部分１４２ｃの外に露出された接触部分２０１ｃと、絶縁体１０ｃの本体１３ｃの外に後方へ延出する尾部分２０２ｃと、を有する。上部列における端子２０ｃの接触部分２０１ｃは、舌部１４ｃの延出部分１４２ｃの上面１４３ｃ上に露出され、下部列における端子２０ｃの接触部分２０１ｃは、舌部１４ｃの延出部分１４２ｃの下面１４４ｃ上に露出される。特に、端子２０ｃは、上部列および下部列に分割され、上部列における端子２０ｃが、第１の絶縁部品１１ｃに埋め込まれ、下部列における端子２０ｃが、第２の絶縁部品２１ｃに埋め込まれる。上部列における端子２０ｃの接触部分２０１ｃは、第１の舌状部分１１２ｃの外へ露出され、上部列における端子２０ｃの尾部分２０２ｃは、第１のベース部分１１１ｃの外へ後方へ延出し、下部列における端子２０ｃの接触部分２０１ｃは、第２の舌状部分２１２ｃの外に露出され、下部列における端子２０ｃの尾部分２０２ｃは、第２のベース部分２１１ｃの外へ後方へ延出する。各列における端子２０ｃは、前方へ突出する４つの端子２０ｃと、４つの端子２０ｃに対して後方へ位置付けられた８つの端子２０ｃと、を備える。前方へ突出する４つの端子２０ｃにおいて、両側上に位置付けられた２つの長い端子２０ｃが、接地のために使用され、中央に位置付けられた２つの長い端子２０ｃが、電力を供給するために使用される。８つの短い端子２０ｃは、２つの高速差動信号対、中心に位置付けられた低速差動信号対、および２つの制御端子を備える。上部列における端子２０ｃの接触部分２０１ｃおよび下部列における端子２０ｃの接触部分２０１ｃは、舌部１４ｃに対して１８０度対称にあり、それによって、嵌合コネクタ７ｃを１８０度だけ逆にさせ、電気コネクタ３００ｃに挿入させる。
【００４５】
絶縁体１０ｃおよび端子２０ｃの組み立てられた構成は、第１の実施形態の結合体１００と同等であることを理解されたい。上部列における端子２０ｃおよび第１の絶縁部品１１ｃの組み立てられた構成は、第１の実施形態の第１の端子モジュール１と同等であり、下部列における端子２０ｃおよび第２の絶縁部品２１ｃの組み立てられた構成は、第１の実施形態の第２の端子モジュール２と同等である。
【００４６】
外側遮蔽シェル４ｃは、絶縁体１０ｃと結合され、嵌合空洞４１ｃを画定するように舌部１４ｃの外側空間を取り囲み、回路基板８ｃに固定される４つの半田付け脚部４２ｃを有する。絶縁体１０ｃの前面１３４ｃは、嵌合空洞４１ｃに向く。
【００４７】
内側遮蔽シェル５ｃは、舌部１４ｃのベース部分１４１ｃと、本体１３ｃの上面１３１ｃ、下面１３２ｃ、および前面１３４ｃと、を覆い、内側遮蔽シェル５ｃを位置付けるための複数の固定突出タブ５３６ｃ、５３８ｃを有する。具体的に、内側遮蔽シェル５ｃは、第１の金属板５４ｃおよび第２の金属板５５ｃを備える。第１の金属板５４ｃは、ベース部分１４１ｃを覆う前方延出板５３１ｃと、前方延出板５３１ｃの後方端から垂直に曲げられて延出する接続板５３５ｃと、水平にかつ接続板５３５ｃの上部端から後方へ延出する後方延出板５３４ｃと、を有する。第２の金属板５５ｃは、ベース部分１４１ｃを覆う前方延出板５３１ｃと、前方延出板５３１ｃの後方端から垂直に曲げられて延出する接続板５３５ｃと、水平にかつ接続板５３５ｃの下部端から後方へ延出する後方延出板５３４ｃと、を有する。２つの前方延出板５３１ｃは、舌部１４ｃのベース部分１４１ｃの上部側および下部側をそれぞれ覆い、２つの接続板５３５ｃは、本体１３ｃの前面１３４ｃを覆い、２つの後方延出板５３４ｃは、本体１３ｃの上面１３１ｃおよび下面１３２ｃをそれぞれ覆う。換言すれば、第１の金属板５４ｃおよび第２の金属板５５ｃは、舌部１４ｃのベース部分１４１ｃの上部側および下部側を一緒に覆う。すなわち、内側遮蔽シェル５ｃが、その中の端子２０ｃを取り囲むように、舌部１４ｃのベース部分１４１ｃを覆い、内側遮蔽シェル５ｃと各端子２０ｃとの間に間隙がある。いくつかの簡略された実施形態（図示しない）では、内側遮蔽シェル５ｃがまた、舌部１４ｃのベース部分１４１ｃのみを覆うように、または舌部１４ｃのベース部分１４１ｃおよび本体１３ｃの前面１３４ｃのみを覆うように設けられ得、それによって、接地遮蔽効果をある程度達成し、嵌合空洞４１ｃにおける電磁放射が、絶縁体１０ｃを通過して後方へ漏れ、端子２０ｃの尾部分２０２ｃに影響を及ぼすことを防ぎ、したがって、端子２０ｃの信号伝送の質を改善して、電磁放射が電気コネクタ３００ｃの外側に漏れることを防ぐという目的が達成される。
【００４８】
絶縁体１０ｃは、舌部１４ｃのベース部分１４１ｃの両側に隣接して垂直に延出する２つのチャネル１３５ｃと、上面１３１ｃおよび下面１３２ｃ上にそれぞれ形成された複数の掛止め溝１３６ｃと、上面１３１ｃ上に形成された２つの受け入れ凹部分１３７ｃと、を更に有する。いくつかの同等の実施形態では、２つのチャネルの後方端が、本体１３ｃの前方または本体１３ｃと舌部１４ｃの間の接合部（図示しない）へと終端され、４つの固定突出タブ５３６ｃが、２つの前方延出板５３１ｃの２つの横側にそれぞれ形成され、対応するチャネル１３５ｃに挿入されて掛止めし、それによって、２つの前方延出板５３１ｃを固定する目的を達成する。具体的に、実施形態では、２つのチャネル１３５ｃが、後方へ所定の深さで絶縁体１０ｃの本体１３ｃの中に更に延出して本体１３ｃを垂直に貫通し、４つの固定突出タブ５３６ｃの後方部分が、本体１３ｃによってチャネル１３５ｃに掛止めされるように、本体１３ｃ上に形成されたチャネル１３５ｃに挿入され、それによって、４つの固定突出タブ５３６ｃが、外側に広がって変形することを防ぎ、好ましくは、４つの固定突出タブ５３８ｃは、２つの後方延出板５３４ｃの２つの横側にそれぞれ形成され、第１の金属板５４ｃおよび第２の金属板５５ｃの固定を強化するように、対応する掛止め溝１３６ｃ内に挿入されて掛止めし、他の２つの半田付け脚部５９ｃが、接続板５３５ｃおよび第２の金属板５５ｃの後方延出板５３４ｃ上に形成され、各半田付け脚部５９ｃが、外側遮蔽シェル４ｃの方へ前方延出板５３１ｃから外側へ延出し、外側遮蔽シェル４ｃが、対応する半田付け脚部５９ｃを受け入れるための２つの対応する開口部４３ｃを有し、それによって、接地効果を形成して固定効果を提供するように、開口部４３ｃに対応する半田付け脚部５９ｃが、回路基板８（図２０、図２１を参照）に半田付けされる。第１の金属板５４ｃは、接続板５３５ｃおよび後方延出板５３４ｃ上に形成された２つの接続弾性タブ５３７ｃを更に有し、２つの接続弾性タブ５３７ｃは、前方延出板５３１ｃから外側に延出して外側遮蔽シェル４ｃ（図２１を参照）に接触し、それによって、内側遮蔽シェル５ｃおよび外側遮蔽シェル４ｃが接地および補助固定効果を形成する。
【００４９】
好ましくは、内側遮蔽シェル５ｃの前方縁が、少なくとも１つの弧状案内部分を有し、舌部１４ｃが、案内部分に対応する少なくとも１つの受け入れチャネルを更に有し、各案内部分の前方端縁と各受け入れチャネルの間に間隙が存在し、それによって、案内部分が受け入れチャネルの中にわずかにずれる。具体的に、実施形態では、第１の金属板５４ｃが、前方延出板５３１ｃの前方縁上に形成されて弧状形状を有する案内前方縁５３２ｃを更に有し、第２の金属板５５ｃが、前方延出板５３１ｃの前方縁上に形成されて弧状形状を有する案内前方縁５３２ｃを更に有する。舌部１４ｃは、２つの案内前方縁５３２ｃをそれぞれ受け入れるように、ベース部分１４１ｃの上面１４３ｃおよび下面１４４ｃ上にそれぞれ形成された２つの受け入れチャネル１４５ｃ（図２１を参照）を更に有する。嵌合コネクタ７ｃ（図１０を参照）と電気コネクタ３００ｃの嵌合処理の間、２つの案内前方縁５３２ｃが、遅延性なくして、嵌合コネクタ７ｃの嵌合前方縁７３ｃを容易に通過させ得る。また、嵌合コネクタ７ｃが電気コネクタ３００ｃと嵌合された後、嵌合コネクタ７ｃの複数の上部接地弾性タブ７１ｃおよび複数の下部接地弾性タブ７１ｃが、内側遮蔽シェル５ｃの２つの前方延出板５３１と接触および嵌合して接地効果を達成し得、それによって、第１の接地遮蔽構成を形成して、電磁放射が絶縁体１０ｃを通過して後方へ漏れることを防ぐ。外側遮蔽シェル４ｃは、嵌合コネクタ７ｃの遮蔽外側シェル７２ｃに接触して第２の接地遮蔽構成を形成し、それによって、嵌合空洞４１ｃの外側空間の全体を取り囲むおよび遮蔽する効果を効果的に達成する。
【００５０】
図１６〜図１９を参照すると、接地金属板３ｃが、第１の絶縁部品１１ｃと第２の絶縁部品２１ｃとの間に置かれる。接地金属板３ｃは、上部列における端子２０ｃと下部列における端子２０ｃの間に位置付けられた板であり、第１の遮蔽部分３３ｃおよび第１の遮蔽部分３３ｃから延出する第２の遮蔽部分３５ｃと、第１の遮蔽部分３３ｃから後方へそれぞれ延出して絶縁体１０ｃの外に延出し、第２の遮蔽部分３５ｃの両側間に位置付けられた２つの接地脚部３６ｃと、を備える。第１の遮蔽部分３３ｃは、絶縁体１０ｃに固定され、第２の遮蔽部分３５ｃおよび端子２０ｃの尾部分２０２ｃは、同じ方向に沿って絶縁体１０ｃの外へ延出する。具体的に、第２の遮蔽部分３５ｃは、接地金属板３ｃの第１の遮蔽部分３３ｃの後方端から下向きに曲げられて垂直に延出することによって形成され、横方向に沿って上部列における端子２０ｃの尾部分２０２ｃと下部列における端子２０ｃの尾部分２０２ｃとの間に延出する。実施形態では、第２の絶縁部品２１ｃが、複数の固定突出支柱１１６ｃを有し、第１の絶縁部品１１ｃが、固定突出支柱１１６ｃとそれぞれ係合される複数の固定孔１１７ｃを有し、接地金属板３ｃが、対応する固定突出支柱１１６ｃを通過するために第１の遮蔽部分３３ｃ上に形成された複数の貫通孔３２ｃを有する。勿論、同等の実施形態では、第１の絶縁部品１１ｃが、複数の固定突出支柱を有し得、第２の絶縁部品２１ｃが、複数の固定孔を有し得る。接地金属板３ｃは、舌部１４ｃの強度を高めることができ、上部列における端子２０ｃと下部列における端子２０ｃとの間の信号伝送間の高周波クロストークを減らすことができ、特に、第２の遮蔽部分３５ｃが、横方向に沿って上部列における端子２０ｃの尾部分２０２ｃと下部列における端子２０ｃの尾部分２０２ｃとの間に延出し、それによって、遮蔽効果を更に高め、接地脚部３６ｃの接地によって端子２０ｃの電気性能を改善する。なおその上に、図１０および図１２を参照すると、舌部１４ｃが、延出部分１４２ｃの両側からそれぞれ凹んだ２つの掛止め部分１４６ｃを更に有し、接地金属板３ｃの側縁の部分が、これらの掛止め部分１４６ｃの外にそれぞれ露出され、したがって、嵌合コネクタ７ｃおよび電気コネクタ３００ｃが嵌合されるときに、嵌合コネクタ７ｃの掛止め弾性タブ（図示しない）が、対応する掛止め部分１４６ｃの上に掛止めして接地金属板３ｃに接触し得、嵌合コネクタ７ｃが、接地金属板３ｃの接地脚部３６ｃ経由で接地され、嵌合コネクタ７ｃのより良い接地効果が達成される。
【００５１】
図１８〜図２１を参照すると、半田付け脚部位置付け部材６ｃおよび絶縁体１０ｃの本体１３ｃが、一緒に係合および固定される。特に、半田付け脚部位置付け部材６ｃは、第２の絶縁部品２１ｃの後方側と係合され、第１の絶縁部品１１ｃの下に位置付けられ、第２の絶縁部品２１ｃ上の制限溝１１８ｃと係合するように、半田付け脚部位置付け部材６ｃの両側からそれぞれ突出する２つの掛止めブロック６１ｃと、端子２０ｃの尾部分２０２ｃおよび接地金属板３ｃの接地脚部３６ｃを通過して位置付けるために垂直に貫通する複数の位置付け孔６２ｃ、６３ｃと、を有し、それによって、尾部分２０２ｃおよび接地脚部３６ｃが変形されることを防ぐ。実施形態では、下部列における端子２０ｃの尾部分２０２ｃが、真っ直ぐに、垂直に、かつ下向きに延出して半田付け脚部を形成し、それは、ビア半田付け（ｖｉａ  ｓｏｌｄｅｒｉｎｇ）のために使用される。上部列における端子２０ｃの尾部分２０２ｃの端部は、曲げられて半田付け脚部を形成し、それは、表面半田付け（ｓｕｒｆａｃｅ  ｓｏｌｄｅｒｉｎｇ）のために使用され、下部列における端子２０ｃの尾部分２０２ｃの後ろに位置付けられ、後方列における半田付け脚部位置付け部材６ｃの位置付け孔６３ｃが、上部列における端子２０ｃの尾部分２０２ｃを通過するために半田付け脚部位置付け部材６ｃの後方側面を更に貫通する。その上、半田付け脚部位置付け部材６ｃは、位置付け凹部分６４ｃを更に有し、それに対応して、接地金属板３ｃの第２の遮蔽部分３５ｃの端（図２２を参照）を受け入れ、位置付け凹部分６４ｃは、上部列における対応する端子２０ｃを受け入れる位置付け孔６３ｃと、下部列における対応する端子２０ｃを受け入れる位置付け孔６２ｃとの間に位置付けられる。
【００５２】
図１９および図２２〜図２４を参照すると、第１の絶縁部品１１ｃが、第２の絶縁部品２１ｃに対して更に後方へ突出し、端子空隙部分１５ｃが、第２の絶縁部品２１ｃに対して更に後方へ突出する第１の絶縁部品１１ｃの部分の下部面から突出する。接地金属板３ｃの後方部分には、端子空隙部分１５ｃを通過するための開口部３４ｃが設けられている。図２２〜図２４を参照すると、端子空隙部分１５ｃが、中央に位置付けられた下部列における２つの端子２０ｃの尾部分２０２ｃに当接し、それは、端子２０ｃの尾部分２０２ｃが回路基板８ｃに取り付けられるときに、端子２０ｃの尾部分２０２ｃが、上向きに曲げられ変形され、接地金属板３ｃに接触して短絡を引き起こすことを防ぐように、他の端子２０ｃに対して更に後方へ突出する。
【００５３】
結論として、本開示の電気コネクタ３００ｃは、舌部１４ｃの強度を高めて、接地金属板３ｃによって端子２０ｃの信号伝送間の高周波クロストークを減らし、第２の遮蔽部分３５ｃが、横方向に沿って上部列における端子２０ｃの尾部分２０２ｃと下部列における端子２０ｃの尾部分２０２ｃとの間に延出し、それによって、遮蔽効果を更に上げ、電気性能を改善する目的を達成し、接地遮蔽効果を更に上げる。その上、絶縁体１０ｃが、第１の絶縁部品１１ｃおよび第２の絶縁部品２１ｃによって組み立てられ、次いで、端子２０ｃの尾部分２０２ｃおよび接地金属板３ｃの接地脚部３６ｃを通過して位置付けるために半田付け脚部位置付け部材６ｃと共に更に組み立てられ、したがって、絶縁構成要素が、３つのサブ構成要素によって組み立てられ、それは、電気コネクタ３００ｃの小型化に有益であり、電気コネクタ３００ｃの製造および組み立てをより容易にさせる。
【００５４】
しかしながら、上記したものは、本開示の単に実施形態にすぎず、本開示の実現形態の範囲は、それに限定されず、すなわち、特許請求の範囲および本開示の記載内容に従ってなされる単純な同等の変形および修正が、本開示の保護範囲に更に含まれる。
【符号の説明】
【００５５】
参照番号は、以下のように表わされる。
【００５６】
３００、３００ｃ    電気コネクタ
１００    結合体
１０１    固定された脚部
１０２    受け入れ溝
１０３    チャネル
１０４    凹部分
１０ｃ    絶縁体
２０ｃ    端子
２０１ｃ    接触部分
２０２ｃ    尾部分
１    第１の端子モジュール
１１、１１ｃ    第１の絶縁部品
１１１、１１１ｃ    第１のベース部分
１１２、１１２ｃ    第１の舌状部分
１１３    第１の結合面
１１４    第１の嵌合面
１１５    第１の固定機構
１１６、１１６ｃ    固定突出支柱
１１７、１１７ｃ    固定孔
１１８ｃ    制限溝
１２    第１の端子
１２１    第１の嵌合部分
１２２    第１の半田付け部分
１３ｃ    本体
１３１ｃ    上面
１３２ｃ    下面
１３３ｃ    側面
１３４ｃ    前面
１３５ｃ    チャネル
１３６ｃ    掛止め溝
１３７ｃ    受け入れ凹部分
１４ｃ    舌部
１４１ｃ    ベース部分
１４２ｃ    延出部分
１４３ｃ    上面
１４４ｃ    下面
１４５ｃ    受け入れチャネル
１４６ｃ    掛止め部分
１５ｃ    端子空隙部分
２    第２の端子モジュール
２１、２１ｃ    第２の絶縁部品
２１１、２１１ｃ    第２のベース部分
２１２、２１２ｃ    第２の舌状部分
２１３    第２の結合面
２１４    第２の嵌合面
２１５    第２の固定機構
２１６    固定突出支柱
２１７    固定孔
２２    第２の端子
２２１    第２の嵌合部分
２２２    第２の半田付け部分
３、３ｃ    接地金属板
３１    嵌合側縁
３２、３２ｃ    貫通孔
３３ｃ    第１の遮蔽部分
３４ｃ    貫通孔
３５ｃ    第２の遮蔽部分
３６ｃ    接地脚部
４、４ｃ    外側遮蔽シェル
４１、４１ｃ    嵌合空洞
４２ｃ    半田付け脚部
４３ｃ    開口部
５、５ｃ    内側遮蔽シェル
５１    固定区分
５２    延出区分
５３    金属板
５４ｃ    第１の金属板
５５ｃ    第２の金属板
５９ｃ    半田付け脚部
５３１、５３１ｃ    前方延出板
５３２、５３２ｃ    案内前方縁
５３３    間隙
５３４、５３４ｃ    後方延出板
５３５、５３５ｃ    接続板
５３６、５３６ｃ、５３８ｃ    固定突出タブ
５３７、５３７ｃ    接続弾性タブ
６ｃ    半田付け脚部位置付け部材
６１ｃ    掛止めブロック
６２ｃ    位置付け孔
６３ｃ    位置付け孔
６４ｃ    位置付け凹部分
７、７ｃ    嵌合コネクタ
７１、７１ｃ    接地弾性タブ
７２ｃ    遮蔽外側シェル
７３ｃ    嵌合前方縁
８、８ｃ    回路基板
【図１】
2018085348.tif 000003
【図２】
2018085348.tif 000004
【図３】
2018085348.tif 000005
【図４】
2018085348.tif 000006
【図５】
2018085348.tif 000007
【図６】
2018085348.tif 000008
【図７】
2018085348.tif 000009
【図８】
2018085348.tif 000010
【図９】
2018085348.tif 000011
【図１０】
2018085348.tif 000012
【図１１】
2018085348.tif 000013
【図１２】
2018085348.tif 000014
【図１３】
2018085348.tif 000015
【図１４】
2018085348.tif 000016
【図１５】
2018085348.tif 000017
【図１６】
2018085348.tif 000018
【図１７】
2018085348.tif 000019
【図１８】
2018085348.tif 000020
【図１９】
2018085348.tif 000021
【図２０】
2018085348.tif 000022
【図２１】
2018085348.tif 000023
【図２２】
2018085348.tif 000024
【図２３】
2018085348.tif 000025
【図２４】
2018085348.tif 000026